(57)【要約】【課題】特別なセンサを対象者に装着する必要がなく、また、対象者による入力動作を必要としないにもかかわらず、緊急通報とともに位置情報を送信することができる端末装置等を提供すること。【解決手段】端末装置２０が受ける圧力を示す圧力情報を生成する圧力情報生成手段と、圧力情報に基づいて、端末装置２０がその使用者によって、平均的な保持状態における圧力よりも高い圧力範囲において予め規定した強圧力範囲内の圧力で保持されているか否かを判断する強力保持状態判断手段と、強力保持状態判断手段の判断結果に基づいて、使用者の皮膚電位を示す皮膚電位情報を生成する皮膚電位情報生成手段と、皮膚電位情報に基づいて、使用者が緊張状態が否かを判断する緊張状態判断手段と、緊急状態判断手段の判断結果に基づいて、前記緊急通報先に対して前記現在位置情報を含む緊急情報を送信する緊急情報送信手段と、を有する。【選択図】図６
2006293480.tif 000002
【特許請求の範囲】
【請求項１】
測位衛星からの信号である衛星信号を受信する衛星信号受信手段と、
前記衛星信号に基づいて、現在位置を示す現在位置情報を生成する現在位置情報生成手段と、
緊急通報先と通信するための通信手段と、
を有する端末装置であって、
前記端末装置が受ける圧力を示す圧力情報を生成する圧力情報生成手段と、
前記圧力情報に基づいて、前記端末装置がその使用者によって、平均的な保持状態における圧力よりも高い圧力範囲において予め規定した強圧力範囲内の圧力で保持されているか否かを判断する強力保持状態判断手段と、
前記強力保持状態判断手段の判断結果に基づいて、前記使用者の皮膚電位を示す皮膚電位情報を生成する皮膚電位情報生成手段と、
前記皮膚電位情報に基づいて、前記使用者が緊張状態か否かを判断する緊張状態判断手段と、
前記緊張状態判断手段の判断結果に基づいて、前記緊急通報先に対して前記現在位置情報を含む緊急情報を送信する緊急情報送信手段と、
を有することを特徴とする端末装置。
【請求項２】
前記端末装置は、携帯電話機であることを特徴とする請求項１に記載の端末装置。
【請求項３】
前記緊張状態判断手段は、前記皮膚電位のベース電位及び波形に基づいて、前記使用者が緊張状態か否かを判断する構成となっていることを特徴とする請求項１又は請求項２のいずれかに記載の端末装置。
【請求項４】
温度及び／又は湿度を示す環境情報を生成する環境情報生成手段と、
前記環境情報に示される温度及び／又は湿度が、予め規定した危険環境範囲内であるか否かを判断する環境評価手段と、  
を有し、
前記緊急情報送信手段は、前記緊張状態判断手段の判断結果に基づいて、又は、前記環境評価手段の判断結果に基づいて、前記緊急通報先に対して前記緊急情報を送信する構成となっていることを特徴とする請求項１乃至請求項３のいずれかに記載の端末装置。
【請求項５】
前記緊張状態判断手段が前記使用者が緊張状態であると判断した場合、又は、前記環境評価手段が前記環境情報に示される温度及び／又は湿度が、前記危険環境範囲内であると判断した場合に、前記衛星信号受信手段が前記衛星信号の受信を開始することを特徴とする請求項４に記載の端末装置。
【請求項６】
測位衛星からの信号である衛星信号を受信する衛星信号受信手段と、前記衛星信号に基づいて、現在位置を示す現在位置情報を生成する現在位置情報生成手段と、緊急通報先と通信するための通信手段と、を有する端末装置が、前記端末装置が受ける圧力を示す圧力情報を生成する圧力情報生成ステップと、
前記端末装置が、前記圧力情報に基づいて、前記端末装置がその使用者によって、平均的な保持状態における圧力よりも高い圧力範囲において予め規定した強圧力範囲内の圧力で保持されているか否かを判断する強力保持状態判断ステップと、
前記端末装置が、前記強力保持状態判断ステップにおける判断結果に基づいて、前記使用者の皮膚電位を示す皮膚電位情報を生成する皮膚電位情報生成ステップと、
前記端末装置が、前記皮膚電位情報に基づいて、前記使用者が緊張状態か否かを判断する緊張状態判断ステップと、
前記端末装置が、前記緊張状態判断ステップにおける判断結果に基づいて、前記衛星信号受信手段による前記衛星信号の受信、及び、前記現在位置情報生成手段による前記現在位置情報の生成を開始する測位開始ステップと、
前記端末装置が、前記緊急通報先に対して、前記現在位置情報を含む緊急情報を送信する緊急情報送信ステップと、
を有することを特徴とする端末装置の制御方法。
【請求項７】
コンピュータに、
測位衛星からの信号である衛星信号を受信する衛星信号受信手段と、前記衛星信号に基づいて、現在位置を示す現在位置情報を生成する現在位置情報生成手段と、緊急通報先と通信するための通信手段と、を有する端末装置が、前記端末装置が受ける圧力を示す圧力情報を生成する圧力情報生成ステップと、
前記端末装置が、前記圧力情報に基づいて、前記端末装置がその使用者によって、平均的な保持状態における圧力よりも高い圧力範囲において予め規定した強圧力範囲内の圧力で保持されているか否かを判断する強力保持状態判断ステップと、
前記端末装置が、前記強力保持状態判断ステップにおける判断結果に基づいて、前記使用者の皮膚電位を示す皮膚電位情報を生成する皮膚電位情報生成ステップと、
前記端末装置が、前記皮膚電位情報に基づいて、前記使用者が緊張状態か否かを判断する緊張状態判断ステップと、
前記端末装置が、前記緊張状態判断ステップにおける判断結果に基づいて、前記衛星信号受信手段による前記衛星信号の受信、及び、前記現在位置情報生成手段による前記現在位置情報の生成を開始する測位開始ステップと、
前記端末装置が、前記緊急通報先に対して、前記現在位置情報を含む緊急情報を送信する緊急情報送信ステップと、
実行させることを特徴とする端末装置の制御プログラム。
【請求項８】
コンピュータに、
測位衛星からの信号である衛星信号を受信する衛星信号受信手段と、前記衛星信号に基づいて、現在位置を示す現在位置情報を生成する現在位置情報生成手段と、緊急通報先と通信するための通信手段と、を有する端末装置が、前記端末装置が受ける圧力を示す圧力情報を生成する圧力情報生成ステップと、
前記端末装置が、前記圧力情報に基づいて、前記端末装置がその使用者によって、平均的な保持状態における圧力よりも高い圧力範囲において予め規定した強圧力範囲内の圧力で保持されているか否かを判断する強力保持状態判断ステップと、
前記端末装置が、前記強力保持状態判断ステップにおける判断結果に基づいて、前記使用者の皮膚電位を示す皮膚電位情報を生成する皮膚電位情報生成ステップと、
前記端末装置が、前記皮膚電位情報に基づいて、前記使用者が緊張状態か否かを判断する緊張状態判断ステップと、
前記端末装置が、前記緊張状態判断ステップにおける判断結果に基づいて、前記衛星信号受信手段による前記衛星信号の受信、及び、前記現在位置情報生成手段による前記現在位置情報の生成を開始する測位開始ステップと、
前記端末装置が、前記緊急通報先に対して、前記現在位置情報を含む緊急情報を送信する緊急情報送信ステップと、
実行させることを特徴とする端末装置の制御プログラムを記録したコンピュータ読み取り可能な記録媒体。
【発明の詳細な説明】
【技術分野】
【０００１】
本発明は、緊急通報とともに位置情報を送信する端末装置、端末装置の制御方法、端末装置の制御プログラム、端末装置の制御プログラムを記録したコンピュータ読み取り可能な記録媒体に関するものである。
【背景技術】
【０００２】
急病等の緊急時においては、外部に緊急状態を通報して、救助を要求する必要がある場合がある。
これに関連して、対象者の頭部に側頭筋センサを装着し、側頭筋の動きを検知した後に、血中酸素濃度又は炭酸ガス発生量が所定値以上の場合に、無線信号を発信する技術が提案されている（例えば、特許文献１）。
一方、警察機関や消防機関などの緊急通報先への通報においては、通報者の位置の特定が重要である。例えば、「総務省、情報通信審議会、情報通信技術分化会、緊急通報機能等高度化委員会」が平成１６年５月に提出した「携帯電話からの緊急通報における発信者位置情報通知機能に係る技術的条件−緊急通報機能等高度化委員会  報告書（案）−」には、緊急通報時の初期段階に、所定の測位精度の位置情報を移動機が送出すべきことが記載されている。
【特許文献１】特開２００４−２５８７６１号公報（図１等）
【発明の開示】
【発明が解決しようとする課題】
【０００３】
しかし、対象者が常に側頭筋センサを装着しているとは限らず、側頭筋センサを装着していない場合には、非常事態が発生しても、緊急通報を行うことができない場合があるという問題がある。
また、例えば、近時、子供も携帯電話機等の通信端末を保持するようになってきているが、子供が誘拐された場合には、緊急通報先に対して、緊急通報とともに位置情報を送信することが重要である。この点、上述の従来例においては、位置情報を送信することができない。
【０００４】
そこで、本発明は、特別なセンサを対象者に装着する必要がなく、また、対象者による入力動作を必要としないにもかかわらず、緊急通報とともに位置情報を送信することができる端末装置、端末装置の制御方法、端末装置の制御プログラム、端末装置の制御プログラムを記録したコンピュータ読み取り可能な記録媒体を提供することを目的とする。
【課題を解決するための手段】
【０００５】
前記目的は、第１の発明によれば、測位衛星からの信号である衛星信号を受信する衛星信号受信手段と、前記衛星信号に基づいて、現在位置を示す現在位置情報を生成する現在位置情報生成手段と、緊急通報先と通信するための通信手段と、を有する端末装置であって、前記端末装置が受ける圧力を示す圧力情報を生成する圧力情報生成手段と、前記圧力情報に基づいて、前記端末装置がその使用者によって、平均的な保持状態における圧力よりも高い圧力範囲において予め規定した強圧力範囲内の圧力で保持されているか否かを判断する強力保持状態判断手段と、前記強力保持状態判断手段の判断結果に基づいて、前記使用者の皮膚電位を示す皮膚電位情報を生成する皮膚電位情報生成手段と、前記皮膚電位情報に基づいて、前記使用者が緊張状態か否かを判断する緊張状態判断手段と、前記緊張状態判断手段の判断結果に基づいて、前記緊急通報先に対して前記現在位置情報を含む緊急情報を送信する緊急情報送信手段と、を有することを特徴とする端末装置により達成される。
【０００６】
一般に、事故や急病、誘拐の被害を受けている場合、脅迫を受けている場合、ストーカー行為の被害を受けている場合等の緊急時においては、人間は極度の緊張状態となり、「手に汗握る」という表現があるように、人間は何かを握り締めるという習性を有している。このとき、平均的な圧力で何かを握るのではなくて、その平均的な圧力より高い圧力で何かを握り締める。なお、ここで緊張状態というときは、例えば、勉強中等の日常生活における一般的な緊張状態ではなくて、事故や急病の際における極度の緊張状態を意味する。
また、上述の「手に汗握る」という表現に示されているように、緊張状態においては人間は手のひらに汗をかくことが知られている。そして、この発汗は皮膚電位によって検出することができる。
以上のことから、何かが人間によって平均的な圧力より高い圧力で握り締められており、発汗を検出した場合には、その人間は「手に汗握る」状態、すなわち、緊張状態であると推測することができる。
この点、第１の発明の構成によれば、前記端末装置は、前記強力保持状態判断手段によって、前記使用者によって平均的な保持状態よりも高い圧力範囲であって予め規定した強圧力範囲において保持されているか否かを判断することができる。
そして、前記端末装置は、前記皮膚電位情報生成手段によって、前記使用者の皮膚電位を示す皮膚電位情報を生成することができる。さらに、前記端末装置は、前記緊張状態判断手段によって、前記皮膚電位情報に基いて、前記使用者が緊張状態が否かを判断することができる。
上述のように、前記皮膚電位情報生成手段は、前記強力保持状態判断手段の判断結果に基づいて、前記皮膚電位情報を生成するようになっているから、前記端末装置は、前記使用者によって保持される圧力と前記皮膚電位情報に基づいて、前記緊張状態を判断していることになる。すなわち、前記圧力情報と前記皮膚電位情報の双方に基づいて、前記緊張状態を判断しているから、前記端末装置の使用者が「手に汗握る」状態、すなわち、緊張状態であるか否かについて、正確に判断することができる。
そして、前記端末装置は、前記緊急情報送信手段を有するから、前記緊急通報先に対して前記緊急情報を送信することができる。
これにより、前記端末装置によれば、特別なセンサを対象者に装着する必要がなく、また、対象者による入力動作を必要としないにもかかわらず、緊急通報とともに位置情報を送信することができる。
【０００７】
第２の発明は、第１の発明の構成において、前記端末装置は、携帯電話機であることを特徴とする端末装置である。
【０００８】
現代においては、老若男女を問わず、多くの人が携帯電話機を持ち歩いている。人間が携帯電話機を持ち歩いている可能性は、人間が側頭筋センサを装着している可能性よりもはるかに大きい。
この点、第２の発明の構成によれば、前記端末装置は携帯電話機であるから、老若男女を問わず、多くの人に手軽に利用されることができ、かつ、各使用者についての緊急通報とともに位置情報を送信することができる。
【０００９】
第３の発明は、第１の発明又は第２の発明のいずれかの構成において、前記緊張状態判断手段は、前記皮膚電位のベース電位及び波形に基づいて、前記使用者が緊張状態か否かを判断する構成となっていることを特徴とする端末装置である。
【００１０】
一般に、人間の緊張状態においては、前記皮膚電位の平均電位を示すベース電位が上昇する。また、前記皮膚電位を検出した結果の波形を調べると、平常状態に比べて、一定時間において波の数が多い。  
この点、前記緊張状態判断手段は、前記皮膚電位のベース電位及び波形に基づいて、前記使用者が緊張状態か否かを判断するから、前記緊張状態を確実に判断することができる。
【００１１】
第４の発明は、第１の発明乃至第３の発明のいずれかの構成において、温度及び／又は湿度を示す環境情報を生成する環境情報生成手段と、前記環境情報に示される温度及び／又は湿度が、予め規定した危険環境範囲内であるか否かを判断する環境評価手段と、を有し、前記緊急情報送信手段は、前記緊張状態判断手段の判断結果に基づいて、又は、前記環境評価手段の判断結果に基づいて、前記緊急通報先に対して前記緊急情報を送信する構成となっていることを特徴とする端末装置である。
【００１２】
例えば、火が燃え盛る建物の中や、海中でおぼれている最中等の緊急状態においては、人間は緊急通報を送信するどころか、携帯電話等機を握り締めることすらできない場合がある。
この点、第４の発明の構成によれば、前記端末装置は、前記環境評価手段を有するから、前記環境情報に示される温度及び／又は湿度が、予め規定した危険環境範囲内であるか否かを判断することができる。例えば、前記端末装置は、温度が摂氏プラス（＋）１００度以上であれば、前記危険環境範囲内であると判断することができるのである。
そして、前記緊急情報送信手段は、前記緊急状態判断手段の判断結果に基づいて、又は、前記環境評価手段の判断結果に基づいて、前記緊急通報先に対して前記緊急情報を送信する構成となっている。
このため、前記端末装置は、前記使用者が緊張状態であると判断した場合のみならず、例えば、火が燃え盛る建物の中等において温度が摂氏１００度である場合に、前記緊急通報先に対して、直ちに、前記緊急情報を送信することができる。
【００１３】
第５の発明は、第４の発明の構成において、前記緊張状態判断手段が前記使用者が緊張状態であると判断した場合、又は、前記環境評価手段が前記環境情報に示される温度及び／又は湿度が、前記危険環境範囲内であると判断した場合に、前記衛星信号受信手段が前記衛星信号の受信を開始することを特徴とする端末装置である。
【００１４】
例えば、携帯電話機など、携帯用の前記端末装置においては、電力供給手段である電池に蓄えることができる電力量は限定されているから、電力を節約することが求められる。
一方、前記衛星信号受信手段は、一般に、電力消費量が多いから、必要な時にだけ駆動するようにすることが、電力を節約し、長時間駆動するために必要なことである。
この点、第５の発明の構成によれば、前記緊張状態判断手段が前記使用者が緊張状態であると判断した場合、又は、前記環境評価手段が前記環境情報に示される温度及び／又は湿度が、予め規定した危険環境範囲内であると判断した場合に、前記衛星信号受信手段が前記衛星信号の受信を開始するようになっているから、前記現在位置情報の生成が必要な場合に限って、駆動することができる。
これにより、前記端末装置は、電力を節約し、長時間駆動することができる。
【００１５】
前記目的は、第６の発明によれば、測位衛星からの信号である衛星信号を受信する衛星信号受信手段と、前記衛星信号に基づいて、現在位置を示す現在位置情報を生成する現在位置情報生成手段と、緊急通報先と通信するための通信手段と、を有する端末装置が、前記端末装置が受ける圧力を示す圧力情報を生成する圧力情報生成ステップと、前記端末装置が、前記圧力情報に基づいて、前記端末装置がその使用者によって、平均的な保持状態における圧力よりも高い圧力範囲において予め規定した強圧力範囲内の圧力で保持されているか否かを判断する強力保持状態判断ステップと、前記端末装置が、前記強力保持状態判断ステップにおける判断結果に基づいて、前記使用者の皮膚電位を示す皮膚電位情報を生成する皮膚電位情報生成ステップと、前記端末装置が、前記皮膚電位情報に基づいて、前記使用者が緊張状態か否かを判断する緊張状態判断ステップと、前記端末装置が、前記緊張状態判断ステップにおける判断結果に基づいて、前記衛星信号受信手段による前記衛星信号の受信、及び、前記現在位置情報生成手段による前記現在位置情報の生成を開始する測位開始ステップと、前記端末装置が、前記緊急通報先に対して、前記現在位置情報を含む緊急情報を送信する緊急情報送信ステップと、を有することを特徴とする端末装置の制御方法によって達成される。
【００１６】
第６の発明の構成によれば、第１の発明の構成と同様に、特別なセンサを対象者に装着する必要がなく、また、対象者による入力動作を必要としないにもかかわらず、緊急通報とともに位置情報を送信することができる。
【００１７】
前記目的は、第７の発明によれば、コンピュータに、測位衛星からの信号である衛星信号を受信する衛星信号受信手段と、前記衛星信号に基づいて、現在位置を示す現在位置情報を生成する現在位置情報生成手段と、緊急通報先と通信するための通信手段と、を有する端末装置が、前記端末装置が受ける圧力を示す圧力情報を生成する圧力情報生成ステップと、前記端末装置が、前記圧力情報に基づいて、前記端末装置がその使用者によって、平均的な保持状態における圧力よりも高い圧力範囲において予め規定した強圧力範囲内の圧力で保持されているか否かを判断する強力保持状態判断ステップと、前記端末装置が、前記強力保持状態判断ステップにおける判断結果に基づいて、前記使用者の皮膚電位を示す皮膚電位情報を生成する皮膚電位情報生成ステップと、前記端末装置が、前記皮膚電位情報に基づいて、前記使用者が緊張状態か否かを判断する緊張状態判断ステップと、前記端末装置が、前記緊張状態判断ステップにおける判断結果に基づいて、前記衛星信号受信手段による前記衛星信号の受信、及び、前記現在位置情報生成手段による前記現在位置情報の生成を開始する測位開始ステップと、前記端末装置が、前記緊急通報先に対して、前記現在位置情報を含む緊急情報を送信する緊急情報送信ステップと、実行させることを特徴とする端末装置の制御プログラムによって達成される。
【００１８】
前記目的は、第８の発明によれば、コンピュータに、測位衛星からの信号である衛星信号を受信する衛星信号受信手段と、前記衛星信号に基づいて、現在位置を示す現在位置情報を生成する現在位置情報生成手段と、緊急通報先と通信するための通信手段と、を有する端末装置が、前記端末装置が受ける圧力を示す圧力情報を生成する圧力情報生成ステップと、前記端末装置が、前記圧力情報に基づいて、前記端末装置がその使用者によって、平均的な保持状態における圧力よりも高い圧力範囲において予め規定した強圧力範囲内の圧力で保持されているか否かを判断する強力保持状態判断ステップと、前記端末装置が、前記強力保持状態判断ステップにおける判断結果に基づいて、前記使用者の皮膚電位を示す皮膚電位情報を生成する皮膚電位情報生成ステップと、前記端末装置が、前記皮膚電位情報に基づいて、前記使用者が緊張状態か否かを判断する緊張状態判断ステップと、前記端末装置が、前記緊張状態判断ステップにおける判断結果に基づいて、前記衛星信号受信手段による前記衛星信号の受信、及び、前記現在位置情報生成手段による前記現在位置情報の生成を開始する測位開始ステップと、前記端末装置が、前記緊急通報先に対して、前記現在位置情報を含む緊急情報を送信する緊急情報送信ステップと、実行させることを特徴とする端末装置の制御プログラムを記録したコンピュータ読み取り可能な記録媒体によって達成される。
【発明を実施するための最良の形態】
【００１９】
以下、この発明の好適な実施の形態を添付図面等を参照しながら、詳細に説明する。
尚、以下に述べる実施の形態は、本発明の好適な具体例であるから、技術的に好ましい種々の限定が付されているが、本発明の範囲は、以下の説明において特に本発明を限定する旨の記載がない限り、これらの態様に限られるものではない。  
【００２０】
図１は、本発明の実施の形態の位置情報通知システム１０を示す概略図である。
図１に示すように、位置情報通知システム１０は、測位衛星である例えば、ＧＰＳ衛星１２ａ，１２ｂ，１２ｃ及び１２ｄからの信号である例えば、信号Ｓ１，Ｓ２，Ｓ３及びＳ４を受信して現在位置を測位することができる端末２０を有する。信号Ｓ１乃至Ｓ４は衛星信号の一例である。端末２０は、端末装置の一例であり、例えば、携帯電話機である。
端末２０は、通信基地局４０及びインターネット網４５を介して、位置情報センター５０及び緊急対応機関６０と通信可能になっている。位置情報センター５０は、端末２０から位置情報を含む情報を取得し、緊急対応機関６０である例えば、警察機関、消防機関及び海上保安機関等へ通報する機能を有する。端末２０は、位置情報センター５０を介して緊急対応機関６０と通信する場合もあるし、位置情報センター５０を介さずに直接に緊急対応機関６０と通信する場合もある。
位置情報センター５０及び緊急対応機関６０は、緊急通報先の一例である。
【００２１】
なお、本実施の形態とは異なり、端末２０は例えば、ＰＨＳ（Ｐｅｒｓｏｎａｌ  Ｈａｎｄｙ−ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｃｅ）等であってもよい。
なお、本実施の形態とは異なり、ＧＰＳ衛星１２ａ等は、１個乃至３個であってもよいし、５個以上であってもよい。  
【００２２】
端末２０は、その使用者である甲に保持されており、事故や急病、誘拐の被害を受けている場合、脅迫を受けている場合、ストーカー行為の被害を受けている場合等の緊急状態において、甲が緊張状態になったことを感知した場合に、現在位置を示す情報を含む緊急情報を上述の位置情報センター５０等に送信することができるようになっている。端末２０は、甲に保持されるときの圧力と、甲の手のひらの皮膚電位に基づいて、甲の緊張状態を判断するようになっている。具体的には、端末２０は、甲によって平均的な圧力より高い圧力において予め規定された一定範囲の圧力で握り締められており、予め規定した条件の発汗を検出した場合には、甲は「手に汗握る」状態、すなわち、緊張状態であると判断するのである。
【００２３】
図２は、皮膚電位の推移の一例を示す図である。
人間は、手のひらに汗をかく。そして、この汗は皮膚電位に変化を及ぼし、この皮膚電位の変化は発汗波として現れる。そこで、この発汗波を検出して評価することによって、人間の精神状態を判断することができる。  
図２は、横軸に時間ｔ、縦軸に発汗量を反映した電圧（ｍＶ）を示している。  
図２に示すように、時間ｔ１とｔ２との間においては、発汗波ＨＳのベース電位ＶＢは平常時の電位ＶＢ０とほぼ等しい。そして、発汗波ＨＳのピーク回数は７回であり、平静時のピーク回数Ｐである例えば、７回と等しい。ここで、ベース電位ＶＢは、発汗波ＨＳの平均の電位を示す。また、発汗波ＨＳのピーク回数は、一定の時間範囲における、発汗波ＨＳの山及び谷の数で判断する。例えば、時刻ｔ１とｔ２との間においては、発汗波ＨＳの山及び谷は、Ｐ１乃至Ｐ７の７個存在するから、ピーク回数は７回である。
時刻ｔ１とｔ２との間においては、発汗波ＨＳのベース電位ＶＢは平静時の電位ＶＢ０とほぼ等しく、ピーク回数は７回であり、平静時のピーク回数である７回と等しいから、人間は平静状態であると判断することができる。
【００２４】
一方、  時刻ｔ３とｔ４との間においては、発汗波ＨＳのベース電位ＶＢは平静時の電位ＶＢ０よりも上昇しており、ピーク回数はＱ１乃至Ｑ１１の１１回であり、平静時のピーク回数である７回よりも多いから、人間は平静状態ではないと判断することができる。
なお、時刻ｔ１と時刻ｔ２との間の時間と、時刻ｔ３と時刻ｔ４との間の時間は等しい。
図２のグラフと同様の結果は、群馬大学医学部保険学科椎原研究室の著作による「Ｃ−ＳＰＡ」の中の「Ｃ−ＳＰＡ２４時間記録例」にも示されている。
【００２５】
時刻ｔ３とｔ４との間においては、人間は平静状態ではないと判断することができるが、皮膚電位の推移だけでは、例えば、勉強中で多少緊張しているのか、燃え盛る火事の現場で極度に緊張しているのかどうかについては、確実に識別することはできない。そして、極度の緊張状態においてのみ、緊急情報を送信する必要がある。
端末２０は、端末２０が平均的な圧力より高い圧力で握り締められており、かつ、予め規定した条件の発汗を検出するか否かを判断できるように構成されている。すわわち、端末２０は、甲が「手に汗握る」状態、すなわち、極度の緊張状態であると判断することができるように構成されている。これにより、勉強状態のような日常的な緊張状態と、緊急情報を送信する必要がある極度の緊張状態を区別できる。
以後、急病や燃え盛る火事の現場、事故、誘拐の被害を受けている場合、脅迫を受けている場合、ストーカー行為の被害を受けている場合等において極度に緊張した状態等を単に緊張状態と呼ぶ。
また、現代においては、老若男女を問わず、多くの人が携帯電話機を保持しているから、緊張時に緊急情報を送信するために人間が握り締めるものは携帯電話機である可能性が高いということに着目して、以下に説明するように、端末２０に緊張状態を判断するための構成を具備したのである。
以下、端末２０の構成を詳細に説明する。
【００２６】
（端末２０の外観等について）
図３は、端末２０の外観等を示す概略図である。
図３（ａ）は、甲が端末２０を使用するときに、甲に対面する側（以後、表面と呼ぶ）を示す図である。
図３（ａ）に示すように、端末２０は、筐体２１内にＧＰＳ装置３４を格納している。ＧＰＳ装置３４は、ＧＰＳ衛星１２ａ等から信号Ｓ１等を受信するための装置である。すなわち、ＧＰＳ装置３４は、衛星信号受信手段の一例である。
【００２７】
図３（ａ）に示すように、端末２０は、筐体２１内に通信装置３２を格納している。通信装置３２は、端末２０が、位置情報センター５０及び緊急対応機関６０と通信するための装置である。すなわち、通信装置３２は、通信手段の一例である。図３（ａ）に示すように、通信装置３２は、筐体２１の外部に通信アンテナ３２ａを有している。
さらに、端末２０は、図３（ａ）に示すように、各種情報を表示する液晶画面３６ａ及び各種情報等を入力するための入力ボタン群２８ａを有している。
【００２８】
図３（ｂ）は、上述の端末２０の表面と逆の面（以後、裏面と呼ぶ）を示す図である。
図３（ｂ）に示すように、端末２０は、接触圧センサ４０Ａ，４０Ｂ，４０Ｃ及び４０Ｄを有している。接触圧センサ４０Ａ等は、端末２０が使用者甲によって保持される圧力を計測するための構成である。接触圧センサ４０Ａ等を総称して、接触圧センサ４０と呼ぶ。
接触圧センサ４０は、例えば、ダイヤフラム方式の圧力センサである。端末２０は、接触圧センサ４０を複数箇所に備えており、例えば、図３（ｂ）に示すように、４箇所に備えている。これにより、使用者甲による端末２０の保持状態にかかわらず、使用者甲によって保持される圧力を計測することができる。
ダイヤフラム方式の圧力センサは、金属の薄板や合成ゴム板、プラスチック膜等の多様な素材を使用することができるので、端末２０の筐体２１に取り付けることが容易である。また、ダイヤフラム方式の圧力センサは、平面に構成しやすいので、端末２０が小型であっても、筐体２１に取り付けることが容易である。また、ダイヤフラム方式の圧力センサは、低圧乃至微圧の検出に適しているから、使用者甲の保持状態程度の圧力を検出するために好適である。このため、端末２０は、接触圧センサ４０として、ベローズ方式等の他の方式ではなくて、ダイヤフラム方式を採用している。
なお、本実施の形態とは異なり、ベローズ方式等の他の方式の圧力センサを採用してもよい。
【００２９】
図４は、接触圧センサ４０の構成の一例を示す図である。
図４（ａ）に示すように、接触圧センサ４０は、ダイヤフラム部４０ａ、枠部４０ｂ、及び中央保持部４０ｃとから構成され、出力値Ｆは、図４（ｂ）に示す式によって得られる。ダイヤフラム部４０ａは、例えば、合成ゴム板で構成されている。枠部４０ｂ及び中央保持部４０ｃは、ダイヤフラム部４０ａを保持するための構成である。
【００３０】
図（３）ｂに示すように、端末２０は、筐体２１内に皮膚電位センサ４２を格納しており、筐体２１の裏面の外部に皮膚電位センサ端子４２ａ及び４２ｂを露出している。皮膚電位センサ４２は、使用者甲の手のひらの皮膚電位を計測するための装置である。皮膚電位センサ４２は、例えば、表面電位センサである。
なお、本実施の形態とは異なり、皮膚電位センサ４２の端子は、例えば、接触圧センサ４０のダイヤフラムの枠部４０ｂと併用してもよい。これにより、端末２０の部品点数を削減することができる。また、本実施の形態とは異なり、皮膚電位センサ４２の端子は、端末２０の表面の一部又は全部を一つの端子とし、裏面の一部又は全部をもう一つの端子としてもよい。
【００３１】
（端末２０の主なハードウエア構成について）
図５は端末２０の主なハードウエア構成等を示す概略図である。
図５に示すように、端末２０は、コンピュータを有しており、コンピュータは、バス２２を有する。
【００３２】
このバス２２には、ＣＰＵ（Ｃｅｎｔｒａｌ  Ｐｒｏｃｅｓｓｉｎｇ  Ｕｎｉｔ）２４、記憶装置２６等が接続されている。記憶装置２６は例えば、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）等である。
【００３３】
また、このバス２２には、各種情報等を入力するための入力装置２８、電力供給手段である電池３０が接続されている。図３（ａ）の入力ボタン群２８ａは、入力装置２８の一構成要素である。
また、このバス２２には、外部と通信するための通信装置３２が接続されている。
また、このバス２２には、ＧＰＳ装置３４、及び、各種情報を表示するための表示装置３６及び、温度及び湿度を計測するための温湿度センサ３８が接続されている。
温湿度センサ３８は、例えば、インピーダンス変化型の温湿度センサであり、摂氏マイナス（−）４０度乃至プラス（＋）２５０度における温度、及び、相対湿度０％ＲＨ乃至１００％ＲＨにおける湿度を計測することができるように構成されている。以後、湿度というときは、相対湿度を意味する。
【００３４】
また、このバス２２には、接触圧センサ４０、皮膚電位センサ４２及び時計４４が接続されている。
【００３５】
（端末２０の主なソフトウエア構成について）
図６は、端末２０の主なソフトウエア構成を示す概略図である。
図６に示すように、端末２０は、各部を制御する制御部１００、図５の通信装置３２に対応する通信部１０２、ＧＰＳ装置３４に対応するＧＰＳ部１０４、温湿度センサ３８に対応する温湿度センサ部１０６、接触圧センサ４０に対応する接触圧センサ部１０８、皮膚電位センサ４２に対応する皮膚電位センサ部１１０、時計４４に対応する計時部１１２等を有する。
【００３６】
また、図６に示すように、端末２０は、各種プログラムを格納する第１記憶部１３０、各種情報を格納する第２記憶部１７０を有する。
【００３７】
図６に示すように、端末２０は、第２記憶部１７０に、衛星軌道情報１７２を格納している。衛星軌道情報１７２は、すべてのＧＰＳ衛星１２ａ等（図１参照）の概略の衛星軌道を示すアルマナック１７２ａ及び、各ＧＰＳ衛星１２ａ等の精密な衛星軌道を示すエフェメリス１７２ｂを含む。端末２０は、衛星軌道情報１７２を、測位のために使用する。
【００３８】
図６に示すように、端末２０は、第１記憶部１３０に、測位プログラム１３２を格納している。測位プログラム１３２は、制御部１００がＧＰＳ部１０４によって信号Ｓ１等を取得し、その信号Ｓ１等に基づいて、現在位置を示す現在位置情報１７４を生成するためのプログラムである。この現在位置情報１７４は、現在位置情報の一例である。そして、測位プログラム１３２と制御部１００とＧＰＳ部１０４は、現在位置情報生成手段の一例である。
【００３９】
具体的には、制御部１００はアルマナック１７２ａを参照して、計時部１１２によって計時した現在時刻において観測可能なＧＰＳ衛星１２ａ等を特定する。そして、制御部１００は、ＧＰＳ部１０４によって、例えば、３個以上のＧＰＳ衛星１２ａ等から信号Ｓ１等を受信し、信号Ｓ１等が各ＧＰＳ衛星１２ａ等から発信された時刻と端末２０に到達した時刻との差である遅延時間によって、各ＧＰＳ衛星１２ａ等と端末２０との間の距離である擬似距離を求める。そして、エフェメリス１７２ｂと、上述の擬似距離を使用して、現在位置の測位演算を行うようになっている。
制御部１００は、生成した現在位置情報１７４を第２記憶部１７０に格納する。図６に示すように、現在位置情報１７４は、現在位置の座標を例えば、緯度、経度及び高度で示す情報である。
制御部１００は、生成した現在位置情報１７４を、第２記憶部１７０に格納する。
【００４０】
図６に示すように、測位プログラム１３２は、測位開始プログラム１３２ａを含む。測位開始プログラム１３２ａは、制御部１００が、測位プログラム１３２に基づく測位を開始するためのプログラムである。ここで、測位を開始するとは、ＧＰＳ部１０４を起動して、現在位置情報１７４を生成するための測位演算を開始することを意味する。
【００４１】
図６に示すように、測位プログラム１３２は、測位停止プログラム１３２ｂを含む。測位停止プログラム１３２ｂは、制御部１００が、測位プログラム１３２に基づく測位を停止するためのプログラムである。制御部１００は、後述の位置情報通知システム１０の動作例において説明する一定の条件のもと、測位を停止するようになっている。
【００４２】
図６に示すように、端末２０は、第１記憶部１３０に、保持圧力情報生成プログラム１３４を格納している。保持圧力情報生成プログラム１３４は、制御部１００が接触圧センサ部１０８によって、端末２０を使用者甲が保持する圧力である保持圧力Ｇを示す保持圧力情報１７６を生成するためのプログラムである。保持圧力情報１７６は、圧力情報の一例である。すなわち、保持圧力情報生成プログラム１３４と制御部１００と接触圧センサ部１０８は、圧力情報生成手段の一例である。
制御部１００は、生成した保持圧力情報１７６を第２記憶部１７０に格納する。
【００４３】
図６に示すように、端末２０は、第１記憶部１３０に、強力保持状態判断プログラム１３６を格納している。強力保持状態判断プログラム１３６は、制御部１００が、保持圧力情報１７６に基づいて、端末２０が使用者甲によって、強力保持状態圧力情報１７８に示される強力保持状態圧力範囲内の圧力で保持されているか否かを判断するためのプログラムである。強力保持状態圧力情報１７８に示される強力保持状態圧力範囲は、平均的な保持状態における圧力よりも高い圧力範囲において予め規定されている。ここで、平均的な保持状態とは、例えば、事故や急病等の緊急状態のない一日の平均的な保持状態である。強力保持状態圧力範囲内は、強圧力範囲内の一例である。そして、強力保持状態判断プログラム１３６と制御部１００は、強力保持状態判断手段の一例である。
なお、強力保持状態圧力範囲内の圧力は、例えば、圧力ＧＳ以上の圧力である。
【００４４】
図６に示すように、端末２０は、第１記憶部１３０に、皮膚電位情報生成プログラム１３８を格納している。皮膚電位情報生成プログラム１３８は、制御部１００が強力保持状態判断プログラム１３６によって強力保持状態圧力範囲内の圧力で保持されていると判断した場合に、皮膚電位センサ部１１０によって皮膚電位を計測し、皮膚電位情報１８０を生成するためのプログラムである。皮膚電位情報１８０には、使用者甲の手のひらの皮膚電位がベース電位ＶＢ及びピーク数Ｊによって示されている。ここで、ピーク数Ｊは、皮膚電位の波形を示している。この皮膚電位情報１８０は、皮膚電位情報の一例である。そして、皮膚電位情報生成プログラム１３８と制御部１００は、皮膚電位情報生成手段の一例である。
制御部１００は、生成した皮膚電位情報１８０を、第２記憶部１７０に格納する。
【００４５】
図６に示すように、端末２０は、第１記憶部１３０に、皮膚電位評価プログラム１４０を格納している。皮膚電位評価プログラム１４０は、制御部１００が、皮膚電位情報１８０に基づいて、使用者甲が緊張状態であるか否かを判断するためのプログラムである。すなわち、皮膚電位評価プログラム１４０と制御部１００は、緊張状態判断手段の一例である。
具体的には、制御部１００は、第２記憶部に格納している皮膚電位異常状態判断情報１８２を参照し、皮膚電位情報１８０に示されるベース電位ＶＢが、異常ベース電位Ｖ１以上であって、皮膚電位情報１８０に示されるピーク数Ｊが、異常ピーク数Ｊ１以上である場合に、使用者甲が緊張状態であると判断する。
異常ベース電位Ｖ１は、例えば、平常時のベース電位ＶＢ０（図２参照）の３倍の電位である。この値は、例えば、図２に示す実験データから規定される。
異常ピーク数Ｊ１は、例えば、３０秒（ｓ）間に１０回である。
【００４６】
図６に示すように、端末２０は、第１記憶部１３０に、緊急情報送信プログラム１４２
を格納している。緊急情報送信プログラム１４２は、制御部１００が皮膚電位評価プログラム１４０によって使用者甲が緊張状態であると判断した場合に、現在位置情報１７４を生成し、規定時間情報１８６に示される予め規定した規定時間Δｔの経過後に、位置情報センター５０又は緊急対応機関６０に対して、現在位置情報１７４を含む緊急情報１８４Ａを送信するためのプログラムである。この緊急情報１８４は、緊急情報の一例である。そして、緊急情報送信プログラム１４２と制御部１００は、緊急情報送信手段の一例である。
詳細には、制御部１００が皮膚電位評価プログラム１４０によって使用者甲が緊張状態であると判断した場合に、測位開始プログラム１３２ａに基づいて信号Ｓ１等の受信を開始し、現在位置情報１７４を生成する。そして、制御部１００は、規定時間Δｔの経過後に、位置情報センター５０等に対して、緊急情報１８４Ａを送信する。
【００４７】
図６に示すように、緊急情報送信プログラム１４２は、規定時間経過判断プログラム１４２ａを含む。規定時間経過判断プログラム１４２ａは、制御部１００が、皮膚電位評価プログラム１４０によって使用者甲が緊張状態であると判断した場合に、予め規定した規定時間Δｔが経過したか否かを判断するためのプログラムである。具体的には、制御部１００は、使用者甲が緊張状態であると判断してからの経過時間を計時部１１２によって計測し、規定時間Δｔが経過したか否かを判断する。この規定時間Δｔは、使用者甲が端末２０を手にしてから何かしらの操作をするのに必要な時間に基づいて規定されており、例えば、６０秒（ｓ）である。
制御部１００は、規定時間Δｔが経過しても使用者甲による入力がない場合に、位置情報センター５０又は緊急対応機関６０に対して、緊急情報１８４Ａを送信する。
【００４８】
図７は、緊急情報１８４Ａ等の一例を示す図である。
図７（ａ）に示すように、緊急情報１８４Ａは、例えば、「緊急状態です」というメッセージを示す緊急通報１８４ａ及び現在位置情報１７４を含む。
【００４９】
図６に示すように、緊急情報送信プログラム１４２は、入力状態判断プログラム１４２ｂを含む。入力状態判断プログラム１４２ｂは、制御部１００が、使用者甲による入力状態に基づいて、緊急情報１８４Ａを送信するか否かを判断するためのプログラムである。
上述のように、制御部１００は、規定時間Δｔが経過しても使用者甲による入力がない場合に、位置情報センター５０又は緊急対応機関６０に対して、緊急情報１８４Ａを送信するのであるが、規定時間Δｔが経過する前に使用者甲による入力があった場合には、使用者甲による入力状態に基づいて、緊急情報１８４Ａを送信する等の制御を行う。制御部１００が、入力状態判断プログラム１４２ｂに基づいて行う動作例については、後述の位置情報通知システム１０の動作例において説明する。
【００５０】
上述のように、端末２０は、使用者甲によって強力保持状態圧力範囲内の圧力で保持されているか否かを判断することができ、皮膚電位情報１８０を生成することができる。さらに、端末２０は、皮膚電位情報１８０に基づいて、使用者甲が緊張状態か否かを判断することができる。端末２０は、使用者甲によって強力保持状態圧力範囲内の圧力で保持されていると判断した場合に、皮膚電位情報１８０を生成するようになっている。このため、端末２０は、保持圧力情報１７６と皮膚電位情報１８０に基づいて、緊張状態を判断していることになる。すなわち、保持圧力情報１７６と皮膚電位情報１８０の双方に基づいて、緊張状態を判断しているから、使用者甲が「手に汗握る」状態、すなわち、緊張状態であるか否かについて、正確に判断することができる。
そして、端末２０は、位置情報センター５０又は緊急対応機関６０に対して現在位置情報１７４を含む緊急情報１８４Ａ（図７参照）を送信することができる。
これにより、端末２０によれば、特別なセンサを対象者に装着する必要がなく、また、対象者による入力動作を必要としないにもかかわらず、緊急通報とともに位置情報を送信することができる。
【００５１】
また、端末２０は、例えば、携帯電話機である。現代においては、老若男女を問わず、多くの人が携帯電話機を持ち歩いている。人間が携帯電話機を持ち歩いている可能性は、人間が側頭筋センサ等の特別なセンサを装着している可能性よりもはるかに大きい。この点、端末２０は携帯電話機であるから、老若男女を問わず、多くの人に手軽に利用されることができ、かつ、各使用者についての緊急通報とともに位置情報を送信することができる。
【００５２】
また、端末２０は、皮膚電位情報１８０に示されるベース電位ＶＢ及び波形Ｊに基づいて、使用者甲が緊張状態か否かを判断する構成となっている。
一般に、人間の緊張状態においては、皮膚電位の平均電位を示すベース電位が上昇する。また、皮膚電位を検出した結果の波形を調べると、平常状態に比べて、一定時間内における波の数が多い。  
この点、端末２０は、ベース電位ＶＢ及び波形Ｊに基づいて、使用者甲が緊張状態か否かを判断するから、緊張状態を確実に判断することができる。
【００５３】
ところで、突発的な海難事故等においては、使用者甲が、端末２０を握り締めることができない場合がある。このような緊急状態においても、位置情報センター５０や緊急対応機関６０に対して、緊急情報を送信することが望ましい。
この点、端末２０は、以下の構成によって、使用者甲が端末２０を握り締めることができないような緊急状態においても、位置情報センター５０や緊急対応機関６０に対して、緊急情報を送信することができるようになっている。
【００５４】
図６に示すように、端末２０は、第１記憶部１３０に、温度情報生成プログラム１４４
を格納している。温度情報生成プログラム１４４は、制御部１００が温湿度センサ部１０６によって温度を測定し、温度情報１８８を生成するためのプログラムである。この温度情報１８８は、環境情報の一例である。そして、温度情報生成プログラム１４４と制御部１００は、環境情報生成手段の一例である。
制御部１００は、生成した温度情報１８８を第２記憶部１７０に格納する。
【００５５】
図６に示すように、端末２０は、第１記憶部１３０に、温度評価プログラム１４６を格納している。温度評価プログラム１４６は、制御部１００が、第２記憶部１７０に格納されている異常温度範囲情報１９０を参照し、温度情報１８８に示される温度Ｃが、温度の下限閾値Ｃ１以下であるか、又は、温度の上限閾値Ｃ２以上であるかを判断するためのプログラムである。下限閾値Ｃ１以下の温度範囲及び上限閾値Ｃ２以上の温度範囲は、予め規定した危険環境範囲内の一例である。そして、温度評価プログラム１４６と制御部１００は、環境評価手段の一例である。
制御部１００は、温度情報１８８に示される温度Ｃが、温度の下限閾値Ｃ１以下であるか、又は、温度の上限閾値Ｃ２以上であると判断した場合には、端末２０が使用者甲に保持されているか否かに関わらず、測位開始プログラム１３２ａに基づいてＧＰＳ部１０４によって信号Ｓ１等の受信を開始する。そして、制御部１００は、信号Ｓ１等に基づいて現在位置情報１７４を生成し、位置情報センター５０又は緊急対応機関６０に対して、緊急情報１８４Ｂを送信する。
【００５６】
図６に示すように、端末２０は、第１記憶部１３０に、湿度情報生成プログラム１４８を格納している。湿度情報生成プログラム１４８は、制御部１００が温湿度センサ部１０６によって湿度を測定し、湿度情報１９２を生成するためのプログラムである。この湿度情報１９２もまた、環境情報の一例である。そして、湿度情報生成プログラム１４８と制御部１００もまた、環境情報生成手段の一例である。
制御部１００は、生成した湿度情報１９２を第２記憶部１７０に格納する。
【００５７】
図６に示すように、端末２０は、第１記憶部１３０に、湿度評価プログラム１５０を格納している。湿度評価プログラム１５０は、制御部１００が、第２記憶部１７０に格納されている異常湿度範囲情報１９４を参照し、湿度情報１９２に示される湿度Ｈが、湿度の下限閾値Ｈ１以下であるか、又は、湿度の上限閾値Ｈ２以上であるかを判断するためのプログラムである。下限閾値Ｈ１以下の湿度範囲及び上限閾値Ｈ２以上の湿度範囲は、予め規定した危険環境範囲内の一例である。そして、湿度評価プログラム１５０と制御部１００もまた、環境評価手段の一例である。
制御部１００は、湿度情報１９２に示される湿度Ｈが、湿度の下限閾値Ｈ１以下であるか、又は、湿度の上限閾値Ｈ２以上であると判断した場合には、端末２０が使用者甲に保持されているか否かに関わらず、測位開始プログラム１３２ａに基づいてＧＰＳ部１０４によって信号Ｓ１等の受信を開始する。そして、制御部１００は、信号Ｓ１等に基づいて現在位置情報１７４を生成し、位置情報センター５０等に対して、緊急情報１８４Ｂを送信する。
図７（ｂ）に示すように、緊急情報１８４Ｂは、例えば、緊急通報１８４ａ及び現在位置情報１７４に加えて、温度情報１８８及び湿度情報１９２を含む。
【００５８】
上述のように、端末２０は、温度情報１８８に示される温度Ｃが、下限閾値Ｃ１以下であるか又は上限閾値Ｃ２以上であるか否かを判断することができる。温度Ｃが、下限閾値Ｃ１である例えば、摂氏マイナス（−）５度以下であれば、冬山で遭難している、あるいは、真冬の夜間に路上で倒れている等の緊急状態であることが考えられる。また、温度Ｃが、上限閾値Ｃ２である例えば、摂氏プラス（＋）１００度以上であれば、燃え盛る火事の中に位置するなどの緊急状態であることが考えられる。
また、端末２０は、湿度情報１９２に示される湿度Ｈが、下限閾値Ｈ１以下であるか又は上限閾値Ｈ２以上であるか否かを判断することができる。湿度Ｈが、下限閾値Ｈ１である例えば、５％ＲＨ以下であれば、燃え盛る火事の中に位置するなどの緊急状態であることが考えられる。湿度Ｈが、上限閾値Ｈ２である例えば、９５％ＲＨ以上であれば、海でおぼれているなどの緊急状態であることが考えられる。
この点、端末２０は、温度情報１８８に示される温度Ｃが、下限閾値Ｃ１以下であるか又は上限閾値Ｃ２以上であると判断した場合、及び、湿度情報１９２に示される湿度Ｈが、下限閾値Ｈ１以下であるか又は上限閾値Ｈ２以上であると判断した場合には、位置情報センター５０に対して、緊急情報１８４Ｂを送信することができる。
位置情報センター５０が緊急情報１８４Ｂを受信した場合には、緊急情報１８４Ｂが誤報であるか否かを確認したうえで、緊急対応機関６０へ緊急情報１８４Ｂを送信する。例えば、湿度Ｈが、上限閾値Ｈ２である９５％ＲＨ以上であっても、現在位置情報１７４に示される現在位置が、海、川、湖、池等に対応する地点又はその近傍ではない場合には、緊急情報１８４Ｂは誤報である可能性がある。このため、位置情報センター５０は、端末２０と通信し、誤報であることが確認できた場合には、緊急情報１８４Ｂを緊急対応機関６０へ送信しない。
以上のように、端末２０は、位置情報センター５０が、本当に緊急対応が必要な場合にのみ、緊急対応機関６０へ緊急情報１８４Ｂを送信するための情報を提供することができる。
【００５９】
上述のように、端末２０は、使用者甲が緊張状態であると判断した場合、又は、使用者甲が緊急状態におかれていると判断した場合に、位置情報センター５０又は緊急対応機関６０に対して、緊急情報１８４Ａ又は緊急情報１８４Ｂを送信することができるように構成されている。このため、端末２０は、使用者甲が緊張状態であると判断した場合のみならず、例えば、火が燃え盛る建物の中等において温度が摂氏プラス（＋）１００度以上であれば、位置情報センター５０等に対して、直ちに、緊急情報１８４Ｂを送信することができる。
【００６０】
さらに、端末２０は、使用者甲が緊張状態であると判断した場合、又は、温度Ｃ及び／又は湿度Ｈが、下限閾値Ｃ１又はＨ１以下であるか、上限閾値Ｃ２又はＨ２以上であると判断した場合に、ＧＰＳ衛星１２ａ等の信号Ｓ１等の受信を開始するようになっているから、現在位置情報１７４の生成が必要な場合に限って、駆動することができる。
【００６１】
（位置情報通知システム１０の動作例について）
以上が本実施の形態に係る位置情報通知システム１０の構成であるが、以下、その動作例を主に図８及び図９を使用して説明する。
なお、端末２０が甲によって保持されており、甲が急病で緊張状態にあるという前提条件で、以下の説明をする。
【００６２】
図８及び図９は本実施の形態に係る位置情報通知システム１０の動作例を示す概略フローチャートである。
まず、端末２０は、保持圧力情報１７６を生成する（図８のステップＳＴ１）。このステップＳＴ１は、圧力情報生成ステップの一例である。
続いて、端末２０は、強力保持状態か否かを判断する（ステップＳＴ２）。このステップＳＴ２は、強力保持状態判断ステップの一例である。上述のように、甲は緊張状態にあるから、保持圧力情報１７６に示される保持圧力Ｇは、強力保持状態圧力範囲内である。このため、端末２０は、強力保持状態であると判断し、ステップＳＴ３に進む。
ステップＳＴ３において、端末２０は、皮膚電位情報１８０を生成する。このステップＳＴ３は、皮膚電位情報生成ステップの一例である。
【００６３】
続いて、端末２０は、皮膚電位情報１８０に基づいて、使用者甲が緊張状態であるか否かを判断する（ステップＳＴ４）。このステップＳＴ４は、緊張状態判断ステップの一例である。
【００６４】
続いて、端末２０は、測位を開始する（ステップＳＴ５）。このステップＳＴ５は、測位開始ステップの一例である。具体的には、端末２０は、ＧＰＳ部１０４（図６参照）によってＧＰＳ衛星１２ａ等から信号Ｓ１等の受信を開始し、現在位置情報１７４の生成を開始する。
【００６５】
続いて、端末２０は、規定時間Δｔ（図６参照）内において、使用者甲による入力があったか否かを判断する（ステップＳＴ６）。
【００６６】
端末２０は、ステップＳＴ６において、規定時間Δｔ（図６参照）内において、使用者甲による入力がないと判断した場合には、位置情報センター５０又は緊急対応機関６０へ緊急情報１８４Ａ（図７参照）を送信する（ステップＳＴ７）。このステップＳＴ７は、緊急通報送信ステップの一例である。
【００６７】
なお、上述のステップＳＴ６において、端末２０が、規定時間Δｔ（図６参照）内において、使用者甲による入力があったと判断した場合には、ステップＳＴ６１へ進む。
ステップＳＴ６１の詳細を、図９を使用して説明する。端末２０の制御部１００は、入力状態判断プログラム１４２ｂ（図６参照）に従って、入力された番号が、緊急対応機関６０である、警察機関を示す「１１０」番、消防機関を示す「１１９」番、海上保安機関を示す「１１８」番のいずれかである場合に、緊急情報１８４Ａを入力された番号に対応する緊急対応機関６０へ送信するようになっている。また、入力された番号がいずれの緊急対応機関６０でもないと判断した場合に、測位を停止するようになっている。端末２０が測位を停止する制御は、制御部１００が測位停止プログラム１３２ｂ（図６参照）に基づいて行う。
【００６８】
まず、端末２０は、第１桁の番号が「１」であるか否かを判断する（図９のステップＳＴ１０１）。端末２０は、第１桁の番号が「１」ではないと判断した場合には、ＧＰＳ部１０４（図６参照）の電源を切断し、測位を停止する（ステップＳＴ１１１）。第１桁の番号が「１」ではない場合には、使用者甲が入力する番号は、警察機関を示す「１１０」番、消防機関を示す「１１９」番又は海上保安機関を示す「１１８」番のいずれでもないから、端末２０は、ＧＰＳ部１０４の電源を切断し、測位を停止することで、電力の節約を図るのである。
【００６９】
これに対して、端末２０が、ステップＳＴ１０１において、第１桁の番号が「１」であると判断した場合には、さらに、第２桁の番号が「１」であるか否かを判断する（図９のステップＳＴ１０２）。端末２０は、第２桁の番号が「１」ではないと判断した場合には、ＧＰＳ部１０４の電源を切断し、測位を停止する（ステップＳＴ１１２）。第２桁の番号が「１」ではない場合には、使用者甲が入力する番号は、警察機関を示す「１１０」番、消防機関を示す「１１９」番又は海上保安機関を示す「１１８」番のいずれでもないから、端末２０は、ＧＰＳ部１０４の電源を切断し、測位を停止することで、電力の節約を図るのである。
【００７０】
これに対して、ステップＳＴ１０２において、第２桁の番号が「１」であると判断した場合には、さらに、測位を継続する（ステップＳＴ１０３）。
続いて、端末２０は、第３桁の番号が「０」、「９」又は「８」のいずれかであるか否かを判断する（ステップＳＴ１０４）。端末２０は、第３桁の番号が「０」、「９」又は「８」のいずれでもないと判断した場合には、ＧＰＳ部１０４の電源を切断し、測位を停止する（ステップＳＴ１１３）。第３桁の番号が「０」、「９」又は「８」のいずれでもない場合には、使用者甲が入力する番号は、警察機関を示す「１１０」番、消防機関を示す「１１９」番又は海上保安機関を示す「１１８」番のいずれでもないから、端末２０は、ＧＰＳ部１０４の電源を切断し、測位を停止することで、電力の節約を図るのである。
【００７１】
これに対して、端末２０は、第３桁の番号が「０」、「９」又は「８」のいずれかであると判断した場合には、現在位置情報１７４を含む緊急情報１８４Ａを、入力結果に対応する緊急対応機関６０に送信する（ステップＳＴ１０６）。
【００７２】
なお、上述の前提条件と異なり、端末２０が甲に保持されていない場合には、ステップＳＴ２（図８参照）において、強力保持状態ではないと判断する。そして、端末２０は、温度Ｃが下限閾値Ｃ１より高く、上限閾値Ｃ２よりも低いか否かを判断する。これと並行して、端末２０は、湿度Ｈが下限閾値Ｈ１より高く、上限閾値Ｈ２よりも低いか否かを判断する（図８のステップＳＴ８）。
端末２０は、ステップＳＴ８において、温度Ｃが下限閾値Ｃ１より高く、上限閾値Ｃ２よりも低くいという条件を満たさないと判断した場合、又は、湿度Ｈが下限閾値Ｈ１より高く、上限閾値Ｈ２よりも低いという条件を満たさないと判断した場合には、測位を開始する（ステップＳＴ９）。
続いて、端末２０は、位置情報センター５０に対して、現在位置情報１７４を含む緊急情報１８４Ｂを送信する（ステップＳＴ１０）。
【００７３】
緊急情報１８４Ｂを受信した位置情報センター５０は、例えば、湿度情報１９２に示される湿度が９５％ＲＨであって、現在位置情報１７４に示される現在位置が海や川、水泳プールを示す地点又はその近傍であると判断した場合には、緊急情報１８４Ｂを、海上保安機関である緊急対応機関６０へ送信する。
一方、位置情報センター５０は、例えば、湿度情報１９２に示される湿度が９５％ＲＨであって、現在位置情報１７４に示される現在位置が海や川、水泳プールを示す地点又はその近傍ではないと判断した場合には、端末２０へ問い合わせの通信を行う。そして、位置情報センター５０が、端末２０の使用者甲に誤報であることを確認した場合には、緊急情報１８４Ｂを、緊急対応機関６０へ送信しない。以上のように、端末２０は、位置情報センター５０が、緊急対応機関６０に対して、本当に対応が必要な場合にのみ緊急情報１８４Ｂを送信するための情報を提供することができる。  
【００７４】
（プログラム及びコンピュータ読み取り可能な記録媒体等について）
コンピュータに上述の動作例の圧力情報生成ステップと、強力保持状態判断ステップと、皮膚電位情報生成ステップと、緊張状態判断ステップと、測位開始ステップと、緊急情報送信ステップ等を実行させるための端末装置の制御プログラムとすることができる。
また、このような端末装置の制御プログラム等を記録したコンピュータ読み取り可能な記録媒体等とすることもできる。
【００７５】
これら端末装置の制御プログラム等をコンピュータにインストールし、コンピュータによって実行可能な状態とするために用いられるプログラム格納媒体は、例えばフロッピー（登録商標）のようなフレキシブルディスク、ＣＤ−ＲＯＭ（Ｃｏｍｐａｃｔ  Ｄｉｓｃ  Ｒｅａｄ  Ｏｎｌｙ  Ｍｅｍｏｒｙ）、ＣＤ−Ｒ（Ｃｏｍｐａｃｔ  Ｄｉｓｃ−Ｒｅｃｏｒｄａｂｌｅ）、ＣＤ−ＲＷ（Ｃｏｍｐａｃｔ  Ｄｉｓｃ−Ｒｅｗｒｉｔａｂｌｅ）、ＤＶＤ（Ｄｉｇｉｔａｌ  Ｖｅｒｓａｔｉｌｅ  Ｄｉｓｃ）などのパッケージメディアのみならず、プログラムが一時的若しくは永続的に格納される半導体メモリ、磁気ディスクあるいは光磁気ディスクなどで実現することができる。
【００７６】
本発明は、上述の各実施の形態に限定されない。さらに、上述の各実施の形態は、相互に組み合わせて構成するようにしてもよい。
【図面の簡単な説明】
【００７７】
【図１】本発明の実施の形態の位置情報通知システムを示す概略図である。
【図２】皮膚電位の推移の一例を示す図である。
【図３】端末の外観の一例を示す図である。
【図４】接触圧センサの一例を示す図である。
【図５】端末の主なハードウエア構成を示す概略図である。
【図６】端末の主なソフトウエア構成を示す概略図である。
【図７】緊急情報の一例を示す図である。
【図８】位置情報通知システムの動作例を示す概略フローチャートである。
【図９】位置情報通知システムの動作例を示す概略フローチャートである。
【符号の説明】
【００７８】
１０・・・位置情報通知システム、１２ａ，１２ｂ，１２ｃ，１２ｄ・・・ＧＰＳ衛星、２０・・・端末、５０・・・位置情報センター、６０・・・緊急対応機関、１３２・・・測位プログラム、１３２ａ・・・測位開始プログラム、１３２ｂ・・・測位停止プログラム、１３４・・・保持圧力情報生成プログラム、１３６・・・強力保持状態判断プログラム、１３８・・・皮膚電位情報生成プログラム、１４０・・・皮膚電位評価プログラム、１４２・・・緊急情報送信プログラム、１４２ａ・・・規定時間経過判断プログラム、１４２ｂ・・・入力状態判断プログラム、１４４・・・温度情報生成プログラム、１４６・・・温度評価プログラム、１４８・・・湿度情報生成プログラム、１５０・・・湿度評価プログラム
【図１】
2006293480.tif 000003
【図２】
2006293480.tif 000004
【図３】
2006293480.tif 000005
【図４】
2006293480.tif 000006
【図５】
2006293480.tif 000007
【図６】
2006293480.tif 000008
【図７】
2006293480.tif 000009
【図８】
2006293480.tif 000010
【図９】
2006293480.tif 000011